(57)【特許請求の範囲】
【請求項１】
遊技球を所定の遊技領域に誘導して所定の遊技を実行する遊技機であって、
前記遊技機の内部から前記遊技機の外部へ前記遊技球を排出する排出通路を形成する排出通路形成部を備え、
前記排出通路形成部は、
直線状の前記排出通路を形成する側壁のうち、一方の側壁の一部が通路の反対側に膨出された膨出部分の内側に、各側壁の内側において前記排出通路が拡大された拡大領域が形成され、
前記拡大領域に形成された袋小路であって、他方の側壁から前記膨出部分へ向けて壁部が立設されることにより、前記壁部の一方の面と前記他方の側壁の内面との間が開口し、前記開口の中が窪んだ器形状を有する袋小路と、
前記排出通路の一部であって、前記排出通路を逆向きに直線的に辿った場合に、前記開口に向かう第１方向に延びて前記開口に至る直線的な第１部分通路と、
前記排出通路の一部であって、前記開口の手前で前記第１部分通路に接続され、前記第１方向とは異なる第２方向に前記排出通路を迂回させると共に、前記袋小路の後ろに回りこむよう、前記壁部の他方の面と前記膨出部分の内面との間において湾曲した第２部分通路と、
を含む、
遊技機。
【請求項２】
請求項１に記載の遊技機であって、
前記袋小路は、
上側を覆う上壁と、下側を覆う下壁と、前記上壁および前記下壁の間に設けられた仕切り壁と、を含む、遊技機。
【請求項３】
請求項１または２に記載の遊技機であって、
前記開口と前記第１部分通路の断面とを前記第１方向に沿ってみた場合に、前記断面が前記開口に含まれるように、前記開口の形状が形成されている、遊技機。
【請求項４】
請求項１ないし請求項３のいずれかに記載の遊技機であって、
前記袋小路の内部形状は、鋭角を成す角部を含む、遊技機。
【発明の詳細な説明】
【技術分野】
【０００１】
本発明は、遊技機の不正抑制に関するものである。
【背景技術】
【０００２】
従来より、遊技球を用いた遊技機（例えば、パチンコ）が利用されている。このような遊技機では、遊技球発射装置によって遊技球が発射され、発射された遊技球は、レールによって所定の遊技領域内を案内される。また、このような遊技機には、レールを逆戻りするファール球を下皿に排出するファール球通路が設けられている（例えば、特許文献１参照）。
【０００３】
【特許文献１】特開２００５−１８５３３１号公報
【０００４】
ところが、遊技機に、ファール球通路のような外部と内部とを連通する通路を設けると、このような通路を利用した不正行為が行われる可能性がある。例えば、針金や磁石等の操作部材が、このような通路を介して遊技機の外部から内部に挿入されて、遊技機内部の部材が操作部材によって不正に操作される可能性があった。
【発明の開示】
【発明が解決しようとする課題】
【０００５】
本発明は、上記の課題を解決するためになされたものであり、遊技機の外部と内部とを連通する通路を利用した不正行為を抑制することのできる技術を提供することを目的とする。
【課題を解決するための手段】
【０００６】
上述の課題の少なくとも一部を解決するため、本発明の遊技機は、遊技球を所定の遊技領域に誘導して所定の遊技を実行する遊技機であって、前記遊技機の内部から前記遊技機の外部へ前記遊技球を排出する排出通路を形成する排出通路形成部を備え、前記排出通路形成部は、前記排出通路の途中に配置された開口を有する袋小路であって、前記開口の中が窪んだ器形状を有する袋小路を有する。
【０００７】
この構成によれば、遊技機の外部から内部へ操作部材が挿入されようとした場合であっても、排出通路を逆方向に移動させられる操作部材が袋小路に捕捉されるので、遊技機の外部と内部とを連通する通路を利用した不正行為を抑制することができる。
【０００８】
上記遊技機において、前記排出通路は、前記排出通路を逆向きに辿った場合に、前記開口に向かう第１方向に延びて前記開口に至る第１部分通路を含むことが好ましい。
【０００９】
この構成によれば、第１部分通路を逆方向に移動する操作部材の進む先に開口が配置されるので、操作部材が袋小路に捕捉されることが容易となる。
【００１０】
上記遊技機において、前記排出通路は、前記開口の手前で前記第１部分通路に接続されるとともに前記第１方向とは異なる第２方向に向かう第２部分通路を含むことが好ましい。
【００１１】
この構成によれば、排出通路の方向が開口の手前で変化するので、排出通路を逆方向に移動させられる操作部材が袋小路に捕捉されることが容易となる。
【００１２】
上記遊技機において、前記開口と前記第１部分通路の断面とを前記第１方向に沿ってみた場合に、前記断面が前記開口に含まれるように、前記開口の形状が形成されていることが好ましい。
【００１３】
この構成によれば、
第１部分通路を移動する操作部材が開口を通る可能性を高めることができるので、不正行為をさらに抑制することができる。
【００１４】
上記各遊技機において、前記袋小路の内部形状は、鋭角を成す角部を含むことが好ましい。
【００１５】
この構成によれば、袋小路に捕捉された操作部材が角部に追い込まれるので、操作部材が排出通路に逆戻りして遊技機の内部に到達することが抑制される。その結果、不正行為をさらに抑制することが可能となる。
【００１６】
なお、本発明は、種々の形態で実現することが可能であり、例えば、袋小路を有する排出通路形成部材、その排出通路形成部材を有する遊技機、等の形態で実現可能である。
【発明を実施するための最良の形態】
【００１７】
Ａ．第１実施例：
Ｂ．第２〜第５実施例：
Ｃ．第６実施例：
Ｄ．第７実施例：
Ｅ．第８実施例：
Ｆ．変形例：
【００１８】
Ａ．第１実施例：
図１は、本発明の一実施例としてのパチンコ遊技機の内枠１００の正面図である。図２は、内枠１００の分解斜視図である。この内枠１００には、遊技球の発射装置１１０と、発射レール１１２と、外レール１２０と、内レール１３０と、排出通路形成部材１４０と、が組み込まれている。この内枠１００は、図示しない外枠に固定されて、遊技機として利用される。
【００１９】
内枠１００の正面の下部右側には、発射装置１１０と発射レール１１２とが固定される。発射装置１１０は、遊技球を発射する。このような発射装置１１０の構成としては、遊技球を打撃する打撃用パッドを、ソレノイドを用いて駆動する構成や、モータとバネとを用いて打撃用ハンマを駆動する構成等の種々の構成を採用することができる。発射装置１１０が遊技球を発射する威力は、図示しないハンドルの回動位置を調整することによって調整される。
【００２０】
内枠１００の中央には、開口１０２（以下「遊技領域１０２」とも呼ぶ）が設けられている。内枠１００正面には、遊技領域１０２を覆うガラス窓が組み付けられた前面枠が固定される（図示省略）。内枠１００の背面には、遊技領域１０２を覆う遊技盤２００が固定される（図２）。この遊技盤２００の正面には、遊技領域１０２の縁に沿って設けられた外レール１２０と、外レール１２０の内側に設けられた内レール１３０とが固定される（図２では図示省略）。このように、内枠１００には、遊技盤２００を介して外レール１２０と内レール１３０とが固定されることとなる。
【００２１】
図１に示すように、発射装置１１０によって発射された遊技球は、発射レール１１２によって、外レール１２０と内レール１３０とに挟まれた主通路１２３に導かれる。そして、遊技球は、外レール１２０と内レール１３０とによって遊技領域１０２の上部に誘導される。また、遊技盤２００（図２）の正面には、遊技球の落下方向を変化させる多数の障害釘や、遊技球が進入可能な入賞口等の各種部品が装着される（図示省略）。
【００２２】
内枠１００正面の下部左側の平面部分（図２）には、排出通路形成部材１４０が固定される。排出通路形成部材１４０には、ファール球回収口１４２（以下、単に「回収口１４２」とも呼ぶ）と払い出し口１４４とが形成されている。回収口１４２は、発射レール１１２と外レール１２０（図１）との間に配置された、鉛直方向上向きの開口である。払い出し口１４４は、回収口１４２よりも下方に配置された、水平方向正面向きの開口である。また、排出通路形成部材１４０には、回収口１４２から払い出し口１４４へ至る排出通路１４６が形成されている（図１）。発射装置１１０による発射威力が小さい場合には、発射された遊技球が主通路１２３から抜け出せずに、主通路１２３を逆流する。このような遊技球（「ファール球」とも呼ばれる）は、外レール１２０に沿って下方に移動し、回収口１４２に落下する。回収口１４２に落ちたファール球は、排出通路１４６を通り抜けて、払い出し口１４４から排出される。図２に示すように、払い出し口１４４の正面には、下皿１５０が固定される。排出されたファール球は、この下皿１５０に貯留される。遊技者は、この下皿１５０に貯留された遊技球を、図示しない所定の投入口（例えば、いわゆる上皿）に投入することによって、遊技に利用することが可能である。
【００２３】
図３は、比較例における内枠１００ａの正面図である。図１に示す第１実施例の内枠１００との差異は、比較例の遊技領域１０２ａの大きさが、第１実施例の遊技領域１０２よりも小さい点である。比較例の内枠１００ａにも、第１実施例の内枠１００と同様に、発射装置１１０ａと、発射レール１１２ａと、外レール１２０ａと、内レール１３０ａと、排出通路形成部材１４０ａと、が組み込まれている。排出通路形成部材１４０ａには、第１実施例の排出通路形成部材１４０と同様に、回収口１４２ａと、払い出し口１４４ａと、排出通路１４６ａとが形成されている。各構成要素の機能は、第１実施例の各構成要素の機能とそれぞれ同じである。なお、図３では、下皿１５０ａと、ハンドル１６０ａと、も図示されている。
【００２４】
第１実施例の遊技領域１０２（図１）は、比較例の遊技領域１０２ａ（図３）よりも広い。これにより、遊技領域１０２における部材の配置の自由度を高め、遊技性を向上させることが可能となる。ただし、これにより、第１実施例での回収口１４２と払い出し口１４４との距離は、比較例での回収口１４２ａと払い出し口１４４ａとの距離と比べて短くなる。その結果、不正行為が容易となる可能性がある。ところが、第１実施例では、不正行為を抑制するために、排出通路１４６の途中に袋小路が設けられている。
【００２５】
図４は、排出通路形成部材１４０の正面図である。図５は、排出通路形成部材１４０の背面図である。図６は、排出通路形成部材１４０の分解斜視図である。図７は、排出通路形成部材１４０の一部の分解斜視図である。図７は、図６とは反対側から見た斜視図である。
【００２６】
図４、図５には、ファール球の軌跡ＦＡが示されている。ファール球は、排出通路１４６を通って移動する。排出通路１４６は、回収口１４２から払い出し口１４４へ至る通路である。この排出通路１４６は、排出通路形成部材１４０に形成された溝によって形成されている。図７には、排出通路形成部材１４０の一部が示されている。排出通路形成部材１４０には、正面方向に向かって窪んだ溝ＧＲが形成されている。この溝ＧＲは、溝の底部を形成する底壁１４０ｓ３と、底壁１４０ｓ３から背面方向に延びる側壁１４０ｓ１、１４０ｓ２とによって形成されている。排出通路形成部材１４０が内枠１００に固定されると、側壁１４０ｓ１、１４０ｓ２の背面側が、内枠１００に接触する。そして、溝ＧＲの全体が内枠１００によって覆われることによって、排出通路形成部材１４０（溝ＧＲ）と内枠１００とで囲まれた排出通路１４６が形成される。図５では、排出通路形成部材１４０の一部分が黒く塗りつぶされている。この塗りつぶされた部分は、溝の側壁部分を示しており、内枠１００と接触する部分を示している。なお、排出通路形成部材１４０には、排出通路１４６の途中から分岐する払い出し通路１４９が形成されている。この払い出し通路１４９は、入賞によって払い出された遊技球が通る通路である。
【００２７】
また、図６、図７に示すように、排出通路１４６の途中には、正面に向かってさらに窪んだ迂回部１４７が形成されている。図７には、排出通路形成部材１４０のうちの迂回部１４７を含む一部分が拡大して示されている。また、図８は、排出通路形成部材１４０の断面図である。この断面図は、図４、図５、図７のＡ−Ａ断面図であり、迂回部１４７によって形成される遊技球の通路（排出通路１４６）の断面を示している。また、この断面図は、遊技球の流れる方向と垂直な上方向から見た断面図である。この断面図では、壁部分にハッチングが付されている。
【００２８】
図６に示すように、排出通路１４６の迂回部１４７には、案内壁１４８が背面側から挿入される。案内壁１４８は、壁部１４８ｖと、穴部１４８ｈ１、１４８ｈ２とを有している。案内壁１４８は、穴部１４８ｈ１、１４８ｈ２を貫通するネジ（図示省略）によって、排出通路形成部材１４０に固定される。これにより、壁部１４８ｖは、迂回部１４７と対向する位置に固定される。
【００２９】
排出通路形成部材１４０が内枠１００に固定されると、壁部１４８ｖは内枠１００に接した状態となる。図７の左下に示した壁部１４８ｖでは、内枠１００に接する部分にハッチングが付されている。この壁部１４８ｖは、主壁ＷＳ３と側壁ＷＳ１、ＷＳ２との３つの壁を有している。内枠１００に固定された壁部１４８ｖは、これらの壁ＷＳ１、ＷＳ２、ＷＳ３と内枠１００とにより囲まれた袋小路ＢＣと、袋小路ＢＣへ通じる開口ＯＰとを形成する。
【００３０】
図８に示すように、主壁ＷＳ３は、袋小路ＢＣの正面側を覆う壁である。この主壁ＷＳ３は、内枠１００から迂回部１４７に向かって延びて、開口ＯＰに至る。具体的には、主壁ＷＳ３は、内枠１００から迂回部１４７に向かって延びて端部ＷＳ３１１へ至る傾斜壁ＷＳ３１と、端部ＷＳ３１１から開口ＯＰまで延びる第３側壁ＷＳ３２と、を有している。傾斜壁ＷＳ３１は、内枠１００からファール球ＦＢの軌跡ＦＡの下流側に向かって傾斜して延びている。これにより、内枠１００と傾斜壁ＷＳ３１とによって囲まれる鋭角な角部ＣＮが形成される。また、傾斜壁ＷＳ３１は、内枠１００から端部ＷＳ３１１まで、曲線を描いて延びている。その延びる方向は、内枠１００に平行な方向から垂直な方向へ徐々に変化している。この理由は、ファール球ＦＢをこの傾斜壁ＷＳ３１に接触させることによって、ファール球ＦＢの移動方向を滑らかに変化させるためである。
【００３１】
端部ＷＳ３１１からは、第３側壁ＷＳ３２が延びている。この第３側壁ＷＳ３２の延びる方向は、開口ＯＰの下流側に接続される通路ＤＰの延びる方向と同じである。第３側壁ＷＳ３２は、端部ＷＳ３１１から、下流側に向かう方向（図中の方向ＯＤとは逆方向）に真っ直ぐ延びて開口ＯＰに至る。なお、迂回部１４７と主壁ＷＳ３との間には、ファール球ＦＢが通るための隙間Ｇが設けられている。また、図７に示すように、主壁ＷＳ３は、内枠１００から開口ＯＰへ至るまで、溝ＧＲの両方の側壁１４０ｓ１、１４０ｓ２と隙間無く接している。
【００３２】
第１側壁ＷＳ１（図７）は、袋小路ＢＣの上側（第１側壁１４０ｓ１側）を覆う壁である。第１側壁ＷＳ１は、第１側壁１４０ｓ１の表面上を、主壁ＷＳ３から内枠１００まで延びている。この際、第１側壁ＷＳ１は、内枠１００と垂直な方向に延びる。また、図７に示すように、開口ＯＰ付近では、第１側壁ＷＳ１の厚さが開口ＯＰに近いほど薄くなっている。これは、開口ＯＰを第１側壁１４０ｓ１の表面まで広げるためである。
【００３３】
第２側壁ＷＳ２は、袋小路ＢＣの下側（第２側壁１４０ｓ２側）を覆う壁であり、その構成は、第１側壁ＷＳ１と同じである。すなわち、第２側壁ＷＳ２は、第２側壁１４０ｓ２表面上を、主壁ＷＳ３から内枠１００まで延びている。この際、第２側壁ＷＳ２は、内枠１００と垂直な方向に延びる。また、開口ＯＰ付近では、第２側壁ＷＳ２の厚さが開口ＯＰに近いほど薄くなっている。
【００３４】
なお、側壁ＷＳ１、ＷＳ２の間には、仕切り壁ＷＳ４が設けられている。この仕切り壁ＷＳ４によって、ファール球ＦＢが誤って開口ＯＰに入ることが防止される。また、図７、図８に示すように、仕切り壁ＷＳ４は、開口ＯＰから下流側に向かって突出する規制部分ＣＰを有している。この規制部分ＣＰは、開口ＯＰから内枠１００まで、曲線を描いて延びている。その延びる方向は、背面に向かう方向から、方向ＯＤの逆方向に徐々に変化している。この理由は、ファール球ＦＢをこの規制部分ＣＰに接触させることによって、ファール球ＦＢの移動方向を滑らかに変化させるためである。
【００３５】
図８には、部分通路ＤＰが示されている。この部分通路ＤＰは、排出通路１４６を逆向きに辿った場合に、開口ＯＰに向かう方向ＯＤに延びて、開口ＯＰに至っている。換言すれば、部分通路ＤＰと袋小路ＢＣとは、排出通路１４６を逆向きに辿ったときに、所定の方向ＯＤへ延びて袋小路へ至る部分通路ＦＰを形成している。そして、排出通路１４６は、この部分通路ＦＰの途中で、迂回部１４７と主壁ＷＳ３とによって形成される迂回通路ＲＰに分岐している。なお、第１実施例では、方向ＯＤは内枠１００の表面（正面側の表面）と平行である。
【００３６】
迂回通路ＲＰは、部分通路ＦＰから、方向ＯＤとは異なる方向（図８の例では、正面に向かう方向）に向かっている。このことは、ファール球ＦＢの移動方向が、迂回通路ＲＰと部分通路ＦＰとの接続位置で変化することを意味している。図８の例では、軌跡ＦＡで示すように、移動方向は、背面に向かう方向から、方向ＯＤの逆方向に、変化する。また、図８の例では、迂回通路ＲＰは、部分通路ＦＰとの接続位置から袋小路ＢＣの後ろ（方向ＯＤ側）に回り込むように曲がっている。
【００３７】
なお、所定の方向ＯＤに延びて、開口ＯＰに至る部分通路ＦＰは、本発明における第１部分通路に相当する。また、開口ＯＰの手前で部分通路ＦＰに接続されるとともに、方向ＯＤとは異なる別の方向（図７の例では、方向ＯＤとは垂直な正面方向）に向かう迂回通路ＲＰは、第２部分通路に相当する。
【００３８】
ところで、図７には、断面ＣＳと開口ＯＰとが、ハッチングで示されている。断面ＣＳは、開口ＯＰに向かって延びる部分通路ＤＰ（図８）の断面である。第１実施例では、開口ＯＰは、断面ＣＳの投影と一致している。具体的には、開口ＯＰと断面ＣＳとを部分通路ＤＰの延びる方向ＯＤに沿って見た場合に、断面ＣＳと開口ＯＰとが一致する。換言すれば、断面ＣＳを部分通路ＤＰの延びる方向ＯＤに移動させると、断面ＣＳの全ての部分が開口ＯＰを通り抜ける。なお、断面ＣＳは、部分通路ＤＰの延びる方向ＯＤと垂直な断面を意味している。また、断面ＣＳは、部分通路ＤＰのうちの迂回通路ＲＰとの接続位置よりも下流側における断面を意味している。
【００３９】
図９は、操作部材（この例では針金）ＷＲが払い出し口１４４（図６）から挿入された場合の様子を示す説明図である。図９には、図８と同じ断面図が示されている（規制部分ＣＰの図示は省略されている）。挿入された操作部材ＷＲは、排出通路１４６を逆方向に移動する。図９には、操作部材ＷＲが部分通路ＤＰに辿り着いた場合の様子が示されている。部分通路ＤＰを通る操作部材ＷＲは、部分通路ＤＰの延びる方向ＯＤに沿って移動する。ところが、上述したように、部分通路ＤＰの先には、開口ＯＰが配置されている。その結果、操作部材ＷＲは、開口ＯＰ内に挿入され、主壁ＷＳ３に接触し、袋小路ＢＣに捕捉される。
【００４０】
以上のように、第１実施例では、遊技機の内部（回収口１４２）と外部（払い出し口１４４）とを連通する排出通路１４６の途中に、この排出通路１４６を逆方向に移動させられる操作部材を捕捉する袋小路ＢＣが設けられている。これにより、開口ＯＰ（袋小路ＢＣ）よりも上流側に操作部材ＷＲが送られることが抑制される。その結果、遊技機の外部と内部とを連通する通路を利用した不正行為を抑制することができる。
【００４１】
また、第１実施例では、排出通路１４６は、袋小路ＢＣの開口ＯＰに向かう所定の方向ＯＤに延びて開口ＯＰに至る部分通路ＦＰを含んでいる（図８）。従って、部分通路ＦＰ（部分通路ＤＰ）を逆方向に移動する操作部材ＷＲの進む先に開口ＯＰが配置されるので、操作部材ＷＲが袋小路ＢＣに捕捉されることが容易となる。
【００４２】
また、第１実施例では、排出通路１４６は、開口ＯＰの手前で部分通路ＦＰに接続されるとともに部分通路ＦＰの延びる方向（方向ＯＤ）とは異なる方向（図８の例では正面方向）に向かう迂回通路ＲＰを含んでいる。従って、開口ＯＰの手前でファール球ＦＢの移動方向が変化する（図８）。すなわち、上流側（遊技領域１０２）へ向かう方向は、部分通路ＦＰの途中であって、開口ＯＰの手前で変化する。ところで、遊技機の外部から押し込められる操作部材の移動方向を通路の途中で変化させることは困難である。従って、このような操作部材が袋小路ＢＣに捕捉されることが容易となる。その結果、不正行為を抑制する効果が顕著となる。
【００４３】
また、第１実施例では、開口ＯＰは、部分通路ＤＰの断面ＣＳの投影を含んでいる（図７）。従って、操作部材ＷＲが部分通路ＤＰ内のどの部分を移動したとしても、操作部材ＷＲの進む先には開口ＯＰが位置しているので、操作部材ＷＲが袋小路ＢＣに捕捉されることが容易となる。その結果、不正行為を抑制する効果が顕著となる。
【００４４】
さらに、第１実施例では、袋小路ＢＣが鋭角な角部ＣＮを有している（図８）。不正行為では、操作部材ＷＲが遊技領域１０２に到達するまで、操作部材ＷＲに力が加え続けられる場合がある。このような場合には、袋小路ＢＣに捕捉された操作部材ＷＲは、袋小路ＢＣを形成する壁（内枠１００、壁ＷＳ１、ＷＳ２、ＷＳ３）に接触し、接触した壁に沿って移動可能である。そして、操作部材ＷＲに強い力が加えられると、操作部材ＷＲが袋小路ＢＣ内で壁に沿って折り返し、開口ＯＰから排出通路１４６へ飛び出す虞がある。ところが、第１実施例の袋小路ＢＣには鋭角な角部ＣＮが設けられている。鋭角な角部ＣＮを形成する壁面（図８の例では、内枠１００と主壁ＷＳ３）に操作部材ＷＲが接すると、操作部材ＷＲに加えられた力は、操作部材ＷＲを角部ＣＮに追い込む方向に働く。このように、操作部材ＷＲは角部ＣＮに追い込まれるので、操作部材ＷＲが角部ＣＮから開口ＯＰに逆戻りすることが抑制される。従って、袋小路ＢＣに捕捉された操作部材ＷＲが排出通路１４６に逆戻りして遊技領域１０２に到達することが抑制されるので、不正行為をさらに抑制することが可能となる。
【００４５】
Ｂ．第２〜第５実施例：
以下に説明する第２ないし第５実施例では、装置構成における上述の第１実施例との差異は、袋小路の形状が異なる点だけであり、他の構成は第１実施例と同じである。そこで、第２ないし第５実施例を説明する図１０ないし図１３では、第１実施例と同じ構成要素に同じ符号が付されている。また、第２ないし第５実施例では、部分通路ＤＰと断面ＣＳと開口ＯＰとの位置と形状とは、第１実施例のものとそれぞれ同じである。
【００４６】
図１０は、第２実施例における袋小路ＢＣｂを示す説明図である。図１０には、図８と同様の断面図が示されている。第２実施例では、主壁ＷＳ３ｂは、内枠１００から直線状に延びて開口ＯＰに到達している。また、主壁ＷＳ３ｂは、第１実施例の主壁ＷＳ３と同様に、内枠１００から、部分通路ＤＰの延びる向きを下流側に向かう方向（方向ＯＤの逆方向）に傾斜して延びている。これにより、内枠１００と主壁ＷＳ３ｂとによって鋭角な角部ＣＮｂが形成される。また、このような主壁ＷＳ３ｂと内枠１００と図示しない側壁（図７の側壁ＷＳ２、ＷＳ３と同様の構成を有する側壁）とによって袋小路ＢＣｂが形成される。この袋小路ＢＣｂは、三角柱形状を有している。
【００４７】
図１１は、第３実施例における袋小路ＢＣｃを示す説明図である。図１１には、図８と同様の断面図が示されている。第３実施例では、主壁ＷＳ３ｃは、内枠１００から迂回部１４７に向かって延びて端部ＷＳ３１１ｃに至る底壁ＷＳ３１ｃと、端部ＷＳ３１１ｃから開口ＯＰまで延びる第３側壁ＷＳ３２ｃと、を有している。底壁ＷＳ３１ｃは、内枠１００に垂直な方向に真っ直ぐ延びて、端部ＷＳ３１１ｃに至る。端部ＷＳ３１１ｃからは、第３側壁ＷＳ３２ｃが延びている。第３側壁ＷＳ３２ｃは、方向ＯＤとは逆向きに真っ直ぐ延びて開口ＯＰに至る。このような主壁ＷＳ３ｃと内枠１００と図示しない側壁（図７の側壁ＷＳ２、ＷＳ３と同様の構成を有する側壁）とによって袋小路ＢＣｃが形成される。この袋小路ＢＣｃは、直方体形状を有している。
【００４８】
図１２は、第４実施例における袋小路ＢＣｄを示す説明図である。図１２には、図８と同様の断面図が示されている。図１１に示す第３実施例との差違は、開口ＯＰの中が、開口ＯＰから遠いほど狭くなっている点だけである。第４実施例では、主壁ＷＳ３ｄは、内枠１００から迂回部１４７に向かって延びて端部ＷＳ３１１ｄに至る底壁ＷＳ３１ｄと、端部ＷＳ３１１ｄから開口ＯＰまで延びる第３側壁ＷＳ３２ｄと、を有している。底壁ＷＳ３１ｄは、内枠１００に垂直な方向に真っ直ぐ延びて、端部ＷＳ３１１ｄに至る。端部ＷＳ３１１ｄからは、第３側壁ＷＳ３２ｄが真っ直ぐに延びて開口ＯＰに至る。ただし、この端部ＷＳ３１１ｄは、第３実施例の端部ＷＳ３１１ｃ（図１１）よりも、内枠１００に近い位置に配置されている。従って、第３側壁ＷＳ３２ｄの延びる方向は、方向ＯＤの逆方向を、内枠１００から離れる方向に傾斜させた方向となる。すなわち、図１２における袋小路ＢＣｄの断面形状は台形である。ここで、開口ＯＰが下底に相当し、底壁ＷＳ３１ｄが上底に相当する。そして、上底の長さが下底の長さよりも短い。このような主壁ＷＳ３ｄと内枠１００と図示しない側壁（図７の側壁ＷＳ２、ＷＳ３と同様の構成を有する側壁）とによって袋小路ＢＣｄが形成される。この袋小路ＢＣｄは、台形柱形状を有している。
【００４９】
図１３は、第５実施例における袋小路ＢＣｅを示す説明図である。図１３には、図８と同様の断面図が示されている。図１１に示す第３実施例との差違は、開口ＯＰの中が、開口ＯＰから遠いほど広くなっている点だけである。第５実施例では、主壁ＷＳ３ｅは、内枠１００から迂回部１４７に向かって延びて端部ＷＳ３１１ｅに至る底壁ＷＳ３１ｅと、端部ＷＳ３１１ｅから開口ＯＰまで延びる第３側壁ＷＳ３２ｅと、を有している。底壁ＷＳ３１ｅは、内枠１００に垂直な方向に真っ直ぐ延びて、端部ＷＳ３１１ｅに至る。この端部ＷＳ３１１ｅからは、第３側壁ＷＳ３２ｅが真っ直ぐに延びて開口ＯＰに至る。ただし、この端部ＷＳ３１１ｅは、第３実施例の端部ＷＳ３１１ｃ（図１１）よりも、内枠１００から遠い位置に配置されている。従って、第３側壁ＷＳ３２ｅの延びる方向は、方向ＯＤの逆方向を、内枠１００に近づく方向に傾斜させた方向となる。すなわち、図１３における袋小路ＢＣｅの断面形状は台形である。ここで、開口ＯＰが下底に相当し、底壁ＷＳ３１ｄが上底に相当する。そして、上底の長さが下底の長さよりも長い。また、底壁ＷＳ３１ｅと第３側壁ＷＳ３２ｅとは、鋭角な角部ＣＮｅを形成する。このような主壁ＷＳ３ｅと内枠１００と図示しない側壁（図７の側壁ＷＳ２、ＷＳ３と同様の構成を有する側壁）とによって袋小路ＢＣｅが形成される。この袋小路ＢＣｅは、台形柱形状を有している。
【００５０】
以上説明した第２ないし第５実施例では、以下の点が第１実施例と異なっている。すなわち、第２実施例（図１０）では、主壁ＷＳ３ｂが直線状に延びている。また、第３実施例（図１１）では、主壁ＷＳ３ｃがＬ字形状を有している。また、第４実施例（図１２）では、鈍角を成す２つの平板壁ＷＳ３１ｄ、ＷＳ３２ｄによって主壁ＷＳ３ｄが構成されている。また、第５実施例（図１３）では、鋭角を成す２つの平板壁ＷＳ３１ｅ、ＷＳ３２ｅによって主壁ＷＳ３ｅが構成されている。ただし、いずれの実施例も、第１実施例と同様に、部分通路ＤＰと袋小路ＢＣｂとは、所定の方向ＯＤへ延びて袋小路へ至る部分通路ＦＰｂ、ＦＰｃ、ＦＰｄ、ＦＰｅを形成している。そして、排出通路１４６は、この部分通路ＦＰｂ、ＦＰｃ、ＦＰｄ、ＦＰｅの途中で、迂回通路ＲＰに分岐している。従って、排出通路１４６を逆方向に移動させられる操作部材は、開口ＯＰの中に挿入されて、袋小路ＢＣｂ、ＢＣｃ、ＢＣｄ、ＢＣｅに捕捉される。その結果、遊技機の外部と内部とを連通する通路を利用した不正行為を抑制することができる。
【００５１】
また、第２ないし第５実施例では、第１実施例と同様に、開口ＯＰは、断面ＣＳの投影を含んでいる。従って、不正行為を抑制する効果が顕著である。また、第２実施例（図１０）と第５実施例（図１３）の袋小路ＢＣｂ、ＢＣｅは、第１実施例と同様に、鋭角な角部ＣＮｂ、ＣＮｅを有している。従って、第２実施例と第５実施例では、不正行為をさらに抑制することが可能となる。
【００５２】
Ｃ．第６実施例：
上述の各実施例では、袋小路に至る部分通路ＤＰの途中であって開口の手前で分岐した後の通路（例えば図８の迂回通路ＲＰ）が袋小路の後ろに回り込んでいたが、分岐後の通路の形状としては、他の任意の形状を採用可能である。例えば、袋小路を囲む壁が、排出通路の他の部分を形成していなくても良い。図１４は、第６実施例における排出通路１４６ｆを示す説明図である。図１４には、排出通路１４６ｆを正面から見た断面図が示されている。図１４には、排出通路１４６ｆの途中の一部分が示されており、排出通路１４６ｆを囲む壁にハッチングが付されている。また、排出通路１４６ｆは、図示された壁の正面側（手前側）と背面側（奥側）とを平板（図示省略）で覆った構成を有している。図中の軌跡ＦＡは、ファール球ＦＢの軌跡である。第６実施例では、上述の各実施例と異なり、袋小路ＢＣｆの開口ＯＰｆの手前で分岐する通路ＥＰｆが、袋小路ＢＣｆの後ろに回り込んでいない。また、袋小路ＢＣｆを囲む壁が、排出通路１４６ｆの他の部分を形成していない。
【００５３】
第６実施例では、排出通路１４６ｆは、第１部分通路ＤＰｆと第２部分通路ＥＰｆとを含んでいる。第１部分通路ＤＰｆは、排出通路１４６ｆを逆向きに辿った場合に、斜め右上方向ＯＤｆに向かって真っ直ぐに延びる通路である。この第１部分通路ＤＰｆの上流側は、閉塞壁ＷＳ３ｆによって塞がれている。第１部分通路ＤＰｆの下流側は、図示しない払い出し口に通じている。また、第１部分通路ＤＰｆの途中の上面には、第２部分通路ＥＰｆが接続されている。この第２部分通路ＥＰｆは、第１部分通路ＤＰｆの延びる方向ＯＤｆとは異なる方向（図１４の例では、斜め左上方向ＯＥｆ）に真っ直ぐに延びる通路である。この第２部分通路ＥＰｆの上流側は、図示しない回収口に通じている。回収口に落下したファール球ＦＢは、第２部分通路ＥＰｆを通って第１部分通路ＤＰｆに至り、第１部分通路ＤＰｆを通って払い出し口から排出される。
【００５４】
第６実施例では、第１部分通路ＤＰｆのうちの第２部分通路ＥＰｆとの接続位置よりも上流側の部分が袋小路ＢＣｆを形成する。従って、上述の各実施例と同様に、第１部分通路ＤＰｆを逆方向に移動させられる操作部材は、袋小路ＢＣｆの開口ＯＰｆの中に挿入されて、袋小路ＢＣｆに捕捉される。その結果、遊技機の外部と内部とを連通する通路を利用した不正行為を抑制することができる。
【００５５】
Ｄ．第７実施例：
上述の各実施例では、袋小路に至る部分通路（例えば、図８の部分通路ＦＰ）の途中であって開口の手前で分岐する通路（例えば、迂回通路ＲＰ）の数が１つであるが、２以上であってもよい。図１５は、第７実施例における排出通路１４６ｇを示す説明図である。図１５には、排出通路１４６ｇを正面から見た断面図が示されている。図１５には、排出通路１４６ｇの途中の一部分が示されており、排出通路１４６ｇを囲む壁にハッチングが付されている。また、排出通路１４６ｇは、図示された壁の正面側（手前側）と背面側（奥側）とを平板（図示省略）で覆った構成を有している。図中の軌跡ＦＡは、ファール球ＦＢの軌跡である。第７実施例では、上述の各実施例と異なり、排出通路１４６ｇは、袋小路ＢＣｇの開口ＯＰｇの手前で２つの迂回通路ＲＰｇ１、ＲＰｇ２に分岐している。
【００５６】
排出通路１４６ｇの図１５に示す部分は、左右を外壁ＷＯ１ｇ、ＷＯ２ｇによって挟まれている。これらの外壁ＷＯ１ｇ、ＷＯ２ｇは、上下に延びる壁であり、途中に幅広部ＷＰを形成している。この幅広部ＷＰは、上に凸な略三角形状を有している。この幅広部ＷＰの中には、案内壁ＷＳ３ｇが設けられている。この案内壁ＷＳ３ｇは、鋭角な逆Ｖ字形状を有しており、袋小路ＢＣｇを形成する。
【００５７】
幅広部ＷＰの下では、外壁ＷＯ１ｇ、ＷＯ２ｇによって下流部分通路ＤＰｇが形成される。この下流部分通路ＤＰｇは、排出通路１４６ｇを逆向きに辿った場合に、鉛直方向上向きに延びて袋小路ＢＣｇに至る。また、この下流部分通路ＤＰｇの下流側は、図示しない払い出し口に通じている。なお、下流部分通路ＤＰｇと袋小路ＢＣｇとは、所定の方向（図１５の例では、鉛直上方向）に延びて袋小路ＢＣｇへ至る部分通路ＦＰｇを形成している。また、袋小路ＢＣｇの開口ＯＰｇは、下流部分通路ＤＰｇの断面ＣＳｇの投影を含んでいる。さらに、図１５の例では、開口ＯＰｇは、断面ＣＳｇよりも広い。
【００５８】
排出通路１４６ｇは、部分通路ＦＰｇの途中であって開口ＯＰｇの手前で２つの迂回通路ＲＰｇ１、ＲＰｇ２に分岐している。第１迂回通路ＲＰｇ１は、案内壁ＷＳ３ｇと第１外壁ＷＯ１ｇとによって囲まれる通路である。第２迂回通路ＲＰｇ２は、案内壁ＷＳ３ｇと第２外壁ＷＯ２ｇとによって囲まれる通路である。これらの迂回通路ＲＰｇ１、ＲＰｇ２は、案内壁ＷＳ３ｇの上部で合流して上流部分通路ＥＰｇに接続されている。この上流部分通路ＥＰｇは、幅広部ＷＰの上に設けられた通路であり、外壁ＷＯ１ｇ、ＷＯ２ｇによって挟まれた通路である。この上流部分通路ＥＰｇの上流側は、図示しない回収口に通じている。回収口に落下したファール球ＦＢは、上流部分通路ＥＰｇを通って幅広部ＷＰに至る。そして、ファール球ＦＢは、２つの迂回通路ＲＰｇ１、ＲＰｇ２のいずれかを通って下流部分通路ＤＰｇに至り、下流部分通路ＤＰｇを通って払い出し口から排出される。なお、部分通路ＦＰｇの断面ＣＳｇは、２つのファール球ＦＢが同時に通過できるような十分な広さを有している。これは、２つの迂回通路ＲＰｇ１、ＲＰｇ２から２つのファール球ＦＢが同時に下流部分通路ＤＰｇに到達した場合でも、ファール球ＦＢが詰まることを抑制するためである。
【００５９】
第７実施例では、上述の各実施例と同様に、下流部分通路ＤＰｇを逆方向に移動させられる操作部材は、袋小路ＢＣｇの開口ＯＰｇの中に挿入されて、袋小路ＢＣｇに捕捉される。その結果、遊技機の外部と内部とを連通する通路を利用した不正行為を抑制することができる。特に、第７実施例では、開口ＯＰｇが、断面ＣＳｇよりも広いので、袋小路による操作部材の捕捉が容易である。また、袋小路ＢＣｇが鋭角な角部ＣＮｇを有しているので、不正行為をさらに抑制することが可能である。
【００６０】
Ｅ．第８実施例：
上述の各実施例では、排出通路を逆向きの辿った場合に、排出通路が、袋小路の開口に向かって延びる部分通路（例えば、図８の部分通路ＤＰ）を含んでいたが、このような部分通路が無くても良い。換言すれば、袋小路の開口の位置としては、部分通路の延びた先に限らず、他の種々の位置を採用可能である。図１６は、第８実施例における排出通路１４６ｈを示す説明図である。図１６は、図１４と同様の断面図を示している。図１４に示す第６実施例との差異は、２点ある。第１の差異は、第２部分通路ＥＰｆが、第１部分通路ＤＰｆの途中の代わりに、先端の上面に接続されている点である。第２の差異は、第２部分通路ＥＰｆの途中の側面に、袋小路ＢＣｈが設けられている点である。他の構成は、図１４に示す第６実施例と同じである。
【００６１】
第８実施例では、第２部分通路ＥＰｆの側面に案内壁ＷＳ３ｈが固定されている。この案内壁ＷＳ３ｈは、鋭角な略Ｖ字形状を有しており、第２部分通路ＥＰｆの側面に、この通路ＥＰｆの外側に向かってＶ字状に窪んだ袋小路ＢＣｈを形成する。ここで、この袋小路ＢＣｈは、上流側に向かって傾斜して窪んでいる。また、案内壁ＷＳ３ｈの開口ＯＰｈは、２つの通路ＤＰｆ、ＥＰｆで形成される曲部のうちの、内側部分ＩＴではなくて、外側部分ＯＴから上流側に向かって進んだ位置に設けられている。
【００６２】
図１６には、さらに、操作部材ＷＲが示されている。第１部分通路ＤＰｆを逆方向（右上方向ＯＤｆ）に移動させられる操作部材ＷＲは、この通路ＤＰｆの閉塞壁ＷＳ３ｆに接触する。そして、操作部材ＷＲは、閉塞壁ＷＳ３ｆに沿って移動方向を左上方向ＯＥｆ変え、第２部分通路ＥＰｆの壁に沿って上流側に移動する。この際、操作部材ＷＲは、曲部の外側部分ＯＴから上流側に向かう壁に沿って移動する。ところが、上述したように、この移動経路上には開口ＯＰｈが設けられている。その結果、操作部材ＷＲは、開口ＯＰｈ内に挿入され、袋小路ＢＣｈに捕捉される。
【００６３】
このように、第８実施例においても、排出通路１４６ｈを逆方向に移動させられる操作部材ＷＲが袋小路ＢＣｈに捕捉されるので、不正行為を抑制することができる。また、第８実施例の袋小路ＢＣｈは、鋭角な角部を有しているので、不正行為を抑制する効果が顕著である。
【００６４】
なお、一般には、袋小路の開口の位置としては、排出通路を逆方向に移動させられる操作部材を捕捉可能な任意の位置を採用可能である。このような位置は、排出通路の形状によって異なるので、実験的に決定すればよい。
【００６５】
Ｆ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００６６】
変形例１：
袋小路の構成としては、上述の各実施例の構成に限らず、排出通路を逆方向に移動させられる操作部材を捕捉可能な任意の構成を採用可能である。
【００６７】
例えば、上述の各実施例において、袋小路の開口（例えば、図７の開口ＯＰ）が、開口に向かう通路の断面（例えば、断面ＣＳ）よりも小さくてもよい。換言すれば、通路の断面を通路の延びる方向に移動させた場合に、断面の一部が、開口の外を通り抜けてもよい。例えば、図７、図８に示す実施例で、開口ＯＰが断面ＣＳよりも小さくてもよい。ただし、一般には、排出通路を逆向きの辿った場合に、排出通路が、袋小路の開口に向かう第１方向に延びて開口に至る第１部分通路を含むことが好ましい。このことは、第１部分通路の断面の少なくとも一部の投影が、開口に含まれることを意味している。こうすれば、第１部分通路を移動する操作部材が袋小路に捕捉されることが容易となる。なお、第１部分通路の断面の投影とは、第１部分通路の延びる方向（第１方向）に沿った投影を意味している。
【００６８】
ただし、袋小路の開口が大きいほど、袋小路が操作部材を捕捉し易くなる。従って、袋小路の開口が大きいことが好ましく、開口の形状が、開口に向かって延びる通路の断面の投影と一致していることが特に好ましく、開口の形状が断面の投影よりも大きいことが最も好ましい。
【００６９】
なお、図１６に示す第８実施例のように、袋小路の開口に向かう部分通路が無くてもよい。この場合も、袋小路の開口が大きいほど、袋小路が操作部材を捕捉し易くなる。
【００７０】
いずれの場合も、袋小路は、遊技機の通常の使用状態では遊技球が進入しない路であることが好ましい。こうすれば、袋小路に捕捉された操作部材が、遊技球の通路に沿って遊技機の内部に移動することを抑制できる。
【００７１】
変形例２：
上述の各実施例において、袋小路の形状としては任意の形状を採用可能である。例えば、図１４や図１５や図１６に示す実施例において、図８〜図１３に示す各実施例と同じ形状の袋小路を採用してもよい。また、上述の各実施例において、半球形状を有する袋小路を採用してもよい。一般には、開口の中が窪んだ任意の器形状を、袋小路の形状として採用可能である。
【００７２】
ここで、袋小路が、鋭角な角部を有することが好ましい。ここで、鋭角な角部とは、少なくとも１つの方向からみた断面が鋭角であるような角（かど）を意味している。このような角部があれば、操作部材が袋小路から逆戻りすることが抑制されるので、不正行為をさらに抑制することが可能となる。
【００７３】
また、袋小路に遊技球が誤って進入しないように、袋小路には障害物を設けることが好ましい。このような障害物としては、図７に示す仕切り壁ＷＳ４のような袋小路の内部を仕切る壁に限らず、遊技球の袋小路への進入を阻害する任意の部材を採用可能である。
【００７４】
変形例３：
排出通路の構成としては、上述の各実施例の構成に限らず、他の種々の構成を採用可能である。例えば、排出通路の断面形状は、矩形に限らず他の任意の形状（例えば、円形状）を採用可能である。また、排出通路の形状も、図４、図５に示す形状に限らず、任意の形状を採用可能である。
【００７５】
また、排出通路を逆向きに辿ったときに、袋小路の開口に向かう通路（例えば、図８の部分通路ＦＰ）の途中であって開口の手前で排出通路の方向が変化していなくてもよい。換言すれば、一定方向に延びる直線通路の途中に、上述の各実施例（図８〜図１５）と同様の袋小路が固定されていてもよい。この場合には、直線通路の断面の一部のみが袋小路によって塞がれるように、直線通路と袋小路との大きさを設定すればよい。ファール球は、断面の残りの部分を通り抜ける。ただし、この場合には、断面の残りの部分を操作部材が通り抜けやすいので、上述の実施例のように、開口の手前で排出通路の方向が変化していることが好ましい。こうすれば、開口に向かう通路（例えば、図８の部分通路ＤＰ）を逆行する操作部材が、袋小路に捕捉されやすくなるので、適切に不正行為を抑制できる。
【００７６】
変形例４：
袋小路を設けるための排出通路としては、ファール球を回収する回収口（例えば、図１の回収口１４２）と、下皿に臨む払い出し口（例えば、図１の払い出し口１４４）とを結ぶ通路に限らず、遊技機の内部から遊技機の外部へ遊技球を排出する任意の通路を採用可能である。また、排出通路のうちの袋小路を設ける位置としては、排出通路を逆向きに移動させられる操作部材を捕捉可能な任意の位置を採用可能である。
【００７７】
なお、多く不正行為では、遊技領域（例えば、図１の遊技領域１０２）に設けられた部材が不正に操作される。従って、遊技領域１０２から遊技機器の外部へ遊技球を排出する排出通路（例えば、図１の排出通路１４６）に袋小路を設ければ、不正行為を適切に抑制できる。また、多くの遊技機は、発射された遊技球を遊技領域内の所定位置に誘導するとともにファール球を回収する回収口を有する発射通路を形成する発射通路形成部（例えば、発射レール１１２と外レール１２０と内レール１３０との全体）と、ファール球を貯留する下皿と、回収口に接続されるとともに回収口に入ったファール球を下皿へ誘導するファール球排出通路と、を備えている。そこで、このような遊技機において、ファール球排出通路に袋小路を設ければ、適切に、不正行為を抑制することができる。
【図面の簡単な説明】
【００７８】
【図１】本発明の一実施例としてのパチンコ遊技機の内枠１００の正面図である。
【図２】内枠１００の分解斜視図である。
【図３】比較例における内枠１００ａの正面図である。
【図４】排出通路形成部材１４０の正面図である。
【図５】排出通路形成部材１４０の背面図である。
【図６】排出通路形成部材１４０の分解斜視図である。
【図７】排出通路形成部材１４０の一部の分解斜視図である。
【図８】排出通路形成部材１４０の断面図である。
【図９】操作部材ＷＲが払い出し口１４４（図６）から挿入された場合の様子を示す説明図である。
【図１０】第２実施例における袋小路ＢＣｂを示す説明図である。
【図１１】第３実施例における袋小路ＢＣｃを示す説明図である。
【図１２】第４実施例における袋小路ＢＣｄを示す説明図である。
【図１３】第５実施例における袋小路ＢＣｅを示す説明図である。
【図１４】第６実施例における排出通路１４６ｆを示す説明図である。
【図１５】第７実施例における排出通路１４６ｇを示す説明図である。
【図１６】第８実施例における排出通路１４６ｈを示す説明図である。
【符号の説明】
【００７９】
１００、１００ａ...内枠
１０２、１０２ａ...遊技領域
１１０、１１０ａ...発射装置
１１２、１１２ａ...発射レール
１２０、１２０ａ...外レール
１２３...主通路
１３０、１３０ａ...内レール
１４０、１４０ａ...排出通路形成部材
１４０ｓ１...第１側壁
１４０ｓ２...第２側壁
１４０ｓ３...底壁
１４２、１４２ａ...ファール球回収口（回収口）
１４４、１４４ａ...払い出し口
１４６、１４６ａ、１４６ｆ、１４６ｇ、１４６ｈ...排出通路
１４７...迂回部
１４８...案内壁
１４８ｖ...壁部
１４８ｈ１、１４８ｈ２...穴部
１４９...払い出し通路
１５０、１５０ａ...下皿
１６０ａ...ハンドル
２００...遊技盤
Ｇ...隙間
ＦＢ...ファール球
ＷＳ４...仕切り壁
ＷＳ３１...傾斜壁
ＷＳ３１ｃ、ＷＳ３１ｄ、ＷＳ３１ｅ...底壁
ＷＳ３１１、ＷＳ３１１ｃ、ＷＳ３１１ｄ、ＷＳ３１１ｅ...端部
ＷＳ１...第１側壁
ＷＳ２...第２側壁
ＷＳ３２、ＷＳ３２ｃ、ＷＳ３２ｄ、ＷＳ３２ｅ...第３側壁
ＷＳ３、ＷＳ３ｂ、ＷＳ３ｃ、ＷＳ３ｄ、ＷＳ３ｅ...主壁
ＷＳ３ｆ...閉塞壁
ＷＳ３ｇ、ＷＳ３ｈ...案内壁
ＷＯ１ｇ...第１外壁
ＷＯ２ｇ...第２外壁
ＷＰ...幅広部
ＣＰ...規制部分
ＧＲ...溝
ＤＰ、ＦＰ、ＦＰｂ...部分通路
ＤＰｆ...第１部分通路
ＤＰｇ...下流部分通路
ＥＰｆ...第２部分通路
ＥＰｇ...上流部分通路
ＲＰ...迂回通路
ＲＰｇ１...第１迂回通路
ＲＰｇ２...第２迂回通路
ＢＣ、ＢＣｂ、ＢＣｃ、ＢＣｄ、ＢＣｅ、ＢＣｆ、ＢＣｇ、ＢＣｈ...袋小路
ＯＰ、ＯＰｆ、ＯＰｇ、ＯＰｈ...開口
ＣＮ、ＣＮｂ、ＣＮｅ、ＣＮｇ...角部
ＷＲ...操作部材
ＦＡ...軌跡
ＣＳ、ＣＳｆ、ＣＳｇ...断面
【図１】
0004844158.tif 000002
【図２】
0004844158.tif 000003
【図３】
0004844158.tif 000004
【図４】
0004844158.tif 000005
【図５】
0004844158.tif 000006
【図６】
0004844158.tif 000007
【図７】
0004844158.tif 000008
【図８】
0004844158.tif 000009
【図９】
0004844158.tif 000010
【図１０】
0004844158.tif 000011
【図１１】
0004844158.tif 000012
【図１２】
0004844158.tif 000013
【図１３】
0004844158.tif 000014
【図１４】
0004844158.tif 000015
【図１５】
0004844158.tif 000016
【図１６】
0004844158.tif 000017